(57)【要約】【課題】葬儀において故人の生前における各種の個人データを会葬者に知らせることができ、葬儀の演出効果を高めることができる葬儀支援システムを提供する。【解決手段】葬儀支援システム１０は、特定故人の生前におけるプロフィールや経歴、思い出等の各種複数の個人データを管理する管理コンピュータ１１と、管理コンピュータ１１に接続されて個人データを出力する出力装置１３，１４とから形成されている。管理コンピュータ１１は、個人データを記憶する個人データ記憶手段と、記憶したそれら個人データを通夜および告別式の進行中に各式場において出力装置１３，１４を介して所定の時間間隔で順次出力する個人データ出力手段とを実行する。【選択図】図１
2010194168.tif 000002
【特許請求の範囲】
【請求項１】
特定故人の葬儀に関する各種複数の葬儀情報を管理する管理コンピュータと、前記管理コンピュータに接続されて前記葬儀情報を出力する出力装置とから形成された葬儀支援システムにおいて、
前記葬儀情報には、前記故人の生前における各種複数の個人データが含まれ、前記管理コンピュータが、前記個人データを記憶する個人データ記憶手段と、記憶したそれら個人データを前記葬儀の進行中に葬儀式場において前記出力装置を介して所定の時間間隔で順次出力する個人データ出力手段とを有することを特徴とする葬儀支援システム。
【請求項２】
前記管理コンピュータが、前記個人データ記憶手段によって記憶した前記個人データを表示した前記故人の葬儀台帳を作成する葬儀台帳作成手段と、作成した前記葬儀台帳を前記出力装置を介して出力する葬儀台帳出力手段とを有する請求項１記載の葬儀支援システム。
【請求項３】
前記葬儀情報には、前記故人に送られた複数の弔辞および弔電が含まれ、前記管理コンピュータが、前記弔辞および弔電を記憶する弔辞弔電記憶手段と、記憶したそれら弔辞および弔電を前記葬儀の進行中に前記葬儀式場において前記出力装置を介して所定の時間間隔で順次出力する弔辞弔電出力手段とを有する請求項１または請求項２に記載の葬儀支援システム。
【請求項４】
前記葬儀台帳作成手段では、前記弔辞弔電記憶手段によって記憶した前記弔辞および弔電を前記葬儀台帳に表示する請求項３記載の葬儀支援システム。
【請求項５】
前記葬儀情報には、前記故人の通夜における通夜進行予定が含まれ、前記管理コンピュータが、前記通夜進行予定を記憶する通夜進行予定記憶手段と、記憶した前記通夜進行予定を前記通夜における前記葬儀式場において前記出力装置を介して出力する通夜進行予定出力手段とを有する請求項１ないし請求項４いずれかに記載の葬儀支援システム。
【請求項６】
前記葬儀情報には、前記故人の告別式における告別式進行予定が含まれ、前記管理コンピュータが、前記告別式進行予定を記憶する告別式進行予定記憶手段と、記憶した前記告別式進行予定を前記告別式における前記葬儀式場において前記出力装置を介して出力する告別式進行予定出力手段とを有する請求項１ないし請求項５いずれかに記載の葬儀支援システム。
【請求項７】
前記葬儀情報には、前記葬儀に参列した複数の会葬者の氏名および住所が含まれ、前記システムが、所定のドットパターンを印刷した会葬者名簿と、前記氏名および住所の前記会葬者名簿への記帳と同時にそれら氏名および住所を読み取り、読み取った氏名および住所をデジタル信号として前記管理コンピュータに出力する電子ペンとを備え、前記管理コンピュータが、前記電子ペンから出力された氏名および住所を記憶する氏名住所記憶手段と、記憶した前記氏名および住所に基づいて会葬者台帳を作成する会葬者台帳作成手段と、作成した前記会葬者台帳を前記出力装置を介して出力する会葬者台帳出力手段とを有する請求項１ないし請求項６いずれかに記載の葬儀支援システム。
【請求項８】
前記葬儀情報には、前記会葬者から受け取った香典の香典金額が含まれ、前記システムが、所定のドットパターンを印刷した香典目録を備え、前記電子ペンが、前記香典金額の香典目録への記載と同時にそれら香典金額を読み取り、読み取った香典金額をデジタル信号として前記管理コンピュータに出力し、前記管理コンピュータが、前記電子ペンから出力された香典金額を記憶する香典金額記憶手段と、記憶した前記氏名および住所と前記香典金額とを対応させつつ、香典金額合計と香典を金額毎に区分した香典内訳とを表示した香典台帳を作成する香典台帳作成手段と、作成した香典台帳を前記出力装置を介して出力する香典台帳出力手段とを有する請求項７記載の葬儀支援システム。
【請求項９】
前記システムが、前記管理コンピュータに接続されて前記故人の遺影写真を表示するデジタルフォトフレームを備え、前記管理コンピュータが、前記故人の複数の遺影写真を記憶する遺影写真記憶手段と、記憶したそれら遺影写真を前記葬儀の進行中に前記葬儀式場において前記デジタルフォトフレームを介して所定の時間間隔で順次表示する遺影写真表示手段とを有する請求項１ないし請求項８いずれかに記載の葬儀支援システム。
【発明の詳細な説明】
【技術分野】
【０００１】
本発明は、特定故人の各種複数の葬儀情報を管理しつつそれら葬儀情報を出力する葬儀支援システムに関する。
【背景技術】
【０００２】
所定の送信者が遺影写真データをネットワークを介して処理コンピュータに送信し、処理コンピュータが遺影写真を主遺影写真データと複数のスライド遺影写真データとに編集するとともに、主遺影写真データとそれらスライド遺影写真データとをネットワークを介して送信者に返信し、送信者が主遺影写真データとそれらスライド遺影写真データとを映像再生装置を介して葬儀の場で切替ながら表示する遺影写真の表示方法がある（特許文献参照）。この遺影写真の表示方法は、遺影の各種演出サービスを提供することができるという効果を有する。
【先行技術文献】
【特許文献】
【０００３】
特開２００２−２３３４４８号公報
【発明の概要】
【発明が解決しようとする課題】
【０００４】
前記特許文献に開示の遺影写真の表示方法は、故人の遺影を主遺影写真データと複数のスライド遺影写真データとに編集することで、映像再生装置に故人の複数の遺影を表示することができる。しかし、故人の遺影のみしか表示することができず、その故人の生前におけるプロフィールや経歴、思い出等の各種の個人データが表示されることはないから、故人の生前を知らない会葬者にその故人のプロフィールや経歴、思い出等を知らせることができない。
【０００５】
本発明の目的は、葬儀において故人の生前におけるプロフィールや経歴、思い出等の各種の個人データを会葬者に知らせることができ、葬儀の演出効果を高めることができる葬儀支援システムを提供することにある。
【課題を解決するための手段】
【０００６】
前記課題を解決するための本発明の前提は、特定故人の葬儀に関する各種複数の葬儀情報を管理する管理コンピュータと、管理コンピュータに接続されて葬儀情報を出力する出力装置とから形成された葬儀支援システムである。
【０００７】
前記前提における本発明の特徴として、葬儀情報には、故人の生前における各種複数の個人データが含まれ、管理コンピュータが、個人データを記憶する個人データ記憶手段と、記憶したそれら個人データを葬儀の進行中に葬儀式場において出力装置を介して所定の時間間隔で順次出力する個人データ出力手段とを有することにある。
【０００８】
本発明の一例としては、管理コンピュータが、個人データ記憶手段によって記憶した個人データを表示した故人の葬儀台帳を作成する葬儀台帳作成手段と、作成した葬儀台帳を出力装置を介して出力する葬儀台帳出力手段とを有する。
【０００９】
本発明の他の一例として、葬儀情報には、故人に送られた複数の弔辞および弔電が含まれ、管理コンピュータが、弔辞および弔電を記憶する弔辞弔電記憶手段と、記憶したそれら弔辞および弔電を葬儀の進行中に葬儀式場において出力装置を介して所定の時間間隔で順次出力する弔辞弔電出力手段とを有する。
【００１０】
本発明の他の一例として、葬儀台帳作成手段では、弔辞弔電記憶手段によって記憶した弔辞および弔電を葬儀台帳に表示する。
【００１１】
本発明の他の一例として、葬儀情報には、故人の通夜における通夜進行予定が含まれ、管理コンピュータが、通夜進行予定を記憶する通夜進行予定記憶手段と、記憶した通夜進行予定を通夜における葬儀式場において出力装置を介して出力する通夜進行予定出力手段とを有する。
【００１２】
本発明の他の一例として、葬儀情報には、故人の告別式における告別式進行予定が含まれ、管理コンピュータが、告別式進行予定を記憶する告別式進行予定記憶手段と、記憶した告別式進行予定を告別式における葬儀式場において出力装置を介して出力する告別式進行予定出力手段とを有する。
【００１３】
本発明の他の一例として、葬儀情報には、葬儀に参列した複数の会葬者の氏名および住所が含まれ、システムが、所定のドットパターンを印刷した会葬者名簿と、氏名および住所の会葬者名簿への記帳と同時にそれら氏名および住所を読み取り、読み取った氏名および住所をデジタル信号として管理コンピュータに出力する電子ペンとを備え、管理コンピュータが、電子ペンから出力された氏名および住所を記憶する氏名住所記憶手段と、記憶した氏名および住所に基づいて会葬者台帳を作成する会葬者台帳作成手段と、作成した会葬者台帳を前記出力装置を介して出力する会葬者台帳出力手段とを有する。
【００１４】
本発明の他の一例として、葬儀情報には、会葬者から受け取った香典の香典金額が含まれ、システムが、所定のドットパターンを印刷した香典目録を備え、電子ペンが、香典金額の香典目録への記載と同時にそれら香典金額を読み取り、読み取った香典金額をデジタル信号として管理コンピュータに出力し、管理コンピュータが、電子ペンから出力された香典金額を記憶する香典金額記憶手段と、記憶した氏名および住所と香典金額とを対応させつつ、香典金額合計と香典を金額毎に区分した香典内訳とを表示した香典台帳を作成する香典台帳作成手段と、作成した香典台帳を出力装置を介して出力する香典台帳出力手段とを有する。
【００１５】
本発明の他の一例としては、システムが、管理コンピュータに接続されて故人の遺影写真を表示するデジタルフォトフレームを備え、管理コンピュータが、故人の複数の遺影写真を記憶する遺影写真記憶手段と、記憶したそれら遺影写真を葬儀の進行中に葬儀式場においてデジタルフォトフレームを介して所定の時間間隔で順次表示する遺影写真表示手段とを有する。
【発明の効果】
【００１６】
本発明にかかる葬儀支援システムによれば、故人の生前におけるプロフィールや経歴、思い出等の各種の個人データを葬儀の進行中に葬儀式場において出力装置を介して所定の時間間隔で順次出力するから、故人の生前を知らない会葬者にその故人のプロフィールや経歴、思い出等を葬儀式場において知らせることができ、会葬者がそれら個人データを確認しつつ生前の故人を偲ぶことができる。この葬儀支援システムは、個人データとして故人の生前のあらゆるデータを表示することができるから、葬儀の演出効果を確実に高めることができ、故人のみならず遺族にとっても最良の葬儀を行うことができる。
【００１７】
個人データを表示した故人の葬儀台帳を作成し、作成した葬儀台帳を出力する葬儀支援システムは、葬儀に用いた故人のプロフィールや経歴、思い出等の個人データを葬儀台帳に纏めることで、故人の葬儀における思い出を作ることができるとともに、故人の葬儀履歴を残すことができる。この葬儀支援システムは、故人の個人データを表示した葬儀台帳を御霊前や御仏前に供え、故人の冥福を祈りつつ、故人の供養に供することができる。
【００１８】
弔辞および弔電を葬儀の進行中に葬儀式場において所定の時間間隔で順次出力する葬儀支援システムは、出力装置を介して弔辞や弔電を葬儀式場において順次照会することができるから、葬儀に参列できない人の弔辞や弔電を会葬者に知らせることができる。この葬儀支援システムは、葬儀の演出効果を確実に高めることができ、故人のみならず遺族にとっても最良の葬儀を行うことができる。
【００１９】
弔辞および弔電を葬儀台帳に表示する葬儀支援システムは、弔辞や弔電の発信者のみならず、弔辞や弔電の内容を纏めて葬儀台帳に表示することができ、故人の葬儀における思い出を作ることができるとともに、故人に送られた弔辞や弔電の履歴を残すことができる。この葬儀支援システムは、弔辞や弔電を表示した葬儀台帳を御霊前や御仏前に供え、故人の冥福を祈りつつ、故人の供養に供することができる。
【００２０】
通夜進行予定を通夜における葬儀式場において出力装置を介して出力する葬儀支援システムは、通夜に参列した遺族や会葬者に通夜の開始から終了までの時間や通夜において行われる行事の目録、行事の時間等を知らせることができ、通夜の円滑な進行を図ることができる。
【００２１】
告別式進行予定を告別式における葬儀式場において出力装置を介して出力する葬儀支援システムは、告別式に参列した遺族や会葬者に告別式の開始から終了までの時間や告別式において行われる行事の目録、行事の時間等を知らせることができ、告別式の円滑な進行を図ることができる。
【００２２】
管理コンピュータが電子ペンから出力された会葬者の氏名および住所を記憶し、それら氏名および住所に基づいて会葬者台帳を作成する葬儀支援システムは、受付担当者等が会葬者名簿に記帳された会葬者の氏名や住所を別途書き写すことなく、それら会葬者の氏名や住所を表示した会葬者台帳が作成されるから、受付担当者等の会葬者台帳作成の手間を省くことができ、葬儀における受付業務の簡素化を図ることができる。
【００２３】
管理コンピュータが電子ペンから出力された香典金額を記憶し、会葬者の氏名および住所と香典金額とを対応させつつ、香典金額合計と香典を金額毎に区分した香典内訳とを表示した香典台帳を作成する葬儀支援システムは、受付担当者等が香典金額合計を別途計算する必要はなく、香典台帳に香典金額合計が表示されるから、受付担当者等の香典金額計算の手間を省くことができ、葬儀における受付業務の簡素化を図ることができる。この葬儀支援システムは、香典台帳に香典を金額毎に区分した香典内訳が表示されるから、受付担当者等が香典をその金額毎に別途仕訳する必要はなく、受付担当者等の金額毎の香典仕分け作業の手間を省くことができ、葬儀における受付業務の簡素化を図ることができる。
【００２４】
管理コンピュータが故人の複数の遺影写真を記憶し、それら遺影写真を葬儀の進行中に葬儀式場においてデジタルフォトフレームを介して所定の時間間隔で順次表示する葬儀支援システムは、故人の複数の遺影写真を祭壇に設置されたデジタルフォトフレームに順次表示させることができるから、故人の生前の各種複数の顔を会葬者に見せることができ、会葬者がそれら遺影写真を確認しつつ生前の故人を偲ぶことができる。
【図面の簡単な説明】
【００２５】
【図１】一例として示す葬儀支援システムの構成図。
【図２】一例として示す葬儀式場の図。
【図３】ディスプレイに表示された初期画面の一例を示す図。
【図４】情報入力や台帳作成の指示画面の一例を示す図。
【図５】葬儀情報等の入力画面の一例を示す図。
【図６】通夜進行予定入力画面の一例を示す図。
【図７】通夜進行予定の一例を示す図。
【図８】告別式進行予定入力画面の一例を示す図。
【図９】告別式進行予定の一例を示す図。
【図１０】先頭頁作成画面の一例を示す図。
【図１１】先頭頁の一例を示す図。
【図１２】最終頁作成画面の一例を示す図。
【図１３】最終頁の一例を示す図。
【図１４】個人データ入力画面の一例を示す図。
【図１５】プロフィールの一例を示す図。
【図１６】家族構成の一例を示す図。
【図１７】思い出写真の一例を示す図。
【図１８】弔辞弔電入力画面の一例を示す図。
【図１９】弔辞および弔電の一例を示す図。
【図２０】遺影写真入力画面の一例を示す図。
【図２１】通夜予定表画面の一例を示す図。
【図２２】通夜進行画面の一例を示す図。
【図２３】通夜用会葬者名簿の一例を示す図。
【図２４】通夜用香典目録の一例を示す図。
【図２５】告別式予定表画面の一例を示す図。
【図２６】告別式進行画面の一例を示す図。
【図２７】告別式用会葬者名簿の一例を示す図。
【図２８】告別式用香典目録の一例を示す図。
【図２９】会葬者台帳の一例を示す図。
【図３０】葬儀台帳の一例を示す図。
【図３１】葬儀台帳の一例を示す図。
【図３２】香典台帳の一例を示す図。
【発明を実施するための形態】
【００２６】
添付の図面を参照し、本発明に係る葬儀支援システムの詳細を説明すると、以下のとおりである。図１は、一例として示す葬儀支援システム１０の構成図であり、図２は、一例として示す葬儀式場の図である。なお、図２では、１箇所の式場を図示しているが、葬儀場には複数の式場が存在する。この葬儀支援システム１０は、葬儀において特定故人の各種複数の葬儀情報を管理しつつ、それら葬儀情報を出力し、葬儀の円滑な進行を図る。なお、葬儀として仏式を図示しているが、仏式のみならず、神式やキリスト教式においてこのシステム１０を利用することもできる。
【００２７】
この葬儀支援システム１０は、管理コンピュータ１１と、ディスプレイ１２，１３（出力装置）およびプリンタ１４（出力装置）と、デジタルフォトフレーム１５と、会葬者名簿１６（電子ペン対応用紙）および香典目録１７（電子ペン対応用紙）と、電子ペン１８（デジタルペン）とから構成されている。ディスプレイ１２，１３やプリンタ１４、デジタルフォトフレーム１５は、インターフェイス（有線または無線）を介してコンピュータ１１に接続されている。
【００２８】
管理コンピュータ１１は、葬儀場の管理室や式場の受付、控え室等に設置される。コンピュータ１１は、中央処理部とメモリとを有し、大容量ハードディスクを内蔵している。コンピュータ１１には、ディスプレイ１２やプリンタ１４等の出力装置がインターフェイスを介して接続され、マウスやキーボード１９、スキャナ等の入力装置がインターフェイスを介して接続されている。
【００２９】
管理コンピュータ１１は、電子ペンアクセスポイント機能、ホスト名とそのホスト名に割り当てるＩＰアドレスとの対応付けを設定するＤＮＳサーバ機能、他のサーバからの要求を受け付けて各種情報を読み書きする機能を提供するデータベースサーバ機能、電子メールの送受信を可能にするメールサーバ機能、作成された文章や画像等の情報をすべて保存してそれらの情報を検索可能にするドキュメントサーバ機能を有する。コンピュータ１１は、インターネットを介してＷｅｂデータを取得可能であり、ＤＮＳサーバ機能を介してインターネットに接続可能かつ他のサーバや携帯電話にアクセス可能である。また、メールサーバ機能を介して電子メールを他のサーバや携帯電話へ送信可能かつ電子メールを他のサーバや携帯電話から受信可能である。
【００３０】
管理コンピュータ１１のメモリの命令ファイルには、葬儀情報管理アプリケーション、電子ペンデータ処理アプリケーション等の各種複数のアプリケーションが格納されている。コンピュータ１１のハードディスクには、各種複数の葬儀情報、各式場を特定する式場識別子、各電子ペン１８を識別する電子ペン識別子が格納されている。葬儀情報には、所定形式の葬儀台帳のひな型、所定形式の会葬者台帳のひな型、所定形式の香典台帳のひな型、通夜における通夜進行予定、告別式における告別式進行予定、各種複数の個人データ、故人に送られた複数の弔辞および弔電、葬儀に参列した複数の会葬者の氏名および住所、会葬者から受け取った香典の香典金額、故人の複数の遺影写真がある。個人データには、故人の生前におけるプロフィールや経歴、思い出等が含まれる。なお、個人データに特に限定はなく、故人に関わるすべてのデータが含まれる。
【００３１】
管理コンピュータ１１は、オペレーティングシステムによる制御に基づいて、メモリの命令ファイルに格納された各種アプリケーションを起動し、それらアプリケーションに従って以下の各手段を実行する。コンピュータ１１は、通夜進行予定をハードディスクに格納（記憶）する通夜進行予定記憶手段を実行し、通夜進行予定をハードディスクから抽出しつつ、その通夜進行予定を通夜式場においてディスプレイ１３を介して表示（出力）する通夜進行予定出力手段を実行する。コンピュータ１１は、告別式進行予定をハードディスクに格納（記憶）する告別式進行予定記憶手段を実行し、告別式進行予定をハードディスクから抽出しつつ、その告別式進行予定を告別式の式場においてディスプレイ１３を介して表示（出力）する告別式進行予定出力手段を実行する。
【００３２】
管理コンピュータ１１は、故人の個人データをハードディスクに格納（記憶）する個人データ記憶手段を実行し、それら個人データをハードディスクから抽出しつつ、個人データを通夜や告別式の進行中に式場においてディスプレイ１３を介して所定の時間間隔で順次表示（出力）する個人データ出力手段を実行する。コンピュータ１１は、弔辞および弔電をハードディスクに格納（記憶）する弔辞弔電記憶手段を実行し、それら弔辞および弔電をハードディスクから抽出しつつ、弔辞および弔電を通夜や告別式の進行中に葬儀式場においてディスプレイ１３を介して所定の時間間隔で順次表示（出力）する弔辞弔電出力手段を実行する。
【００３３】
管理コンピュータ１１は、個人データや弔辞および弔電、夜進行予定、告別式進行予定、遺影写真等を所定の形式で表示した故人の葬儀台帳を作成する葬儀台帳作成手段を実行し、作成した葬儀台帳をハードディスクに格納（記憶）する葬儀台帳記憶手段を実行するとともに、その葬儀台帳をディスプレイ１２やプリンタ１４を介して出力する葬儀台帳出力手段を実行する。通夜進行予定や告別式進行予定、個人データ、弔辞、弔電、遺影写真は、葬儀の準備段階において入力装置からコンピュータ１１に入力される他、インターネットを介してＷｅｂデータや電子メールとしてコンピュータ１１に入力される。また、デジタルカメラやスキャナ、メモリデバイス等からコンピュータ１１に入力される。
【００３４】
管理コンピュータ１１は、電子ペン１８から送信（出力）された会葬者の氏名および住所をハードディスクに格納（記憶）する氏名住所記憶手段を実行し、それら氏名および住所をハードディスクから抽出しつつ、氏名および住所に基づいて会葬者台帳を作成する会葬者台帳作成手段を実行する。コンピュータ１１は、作成した会葬者台帳をハードディスクに格納（記憶）する会葬者台帳記憶手段を実行し、作成した会葬者台帳をディスプレイ１２やプリンタ１４を介して出力する会葬者台帳出力手段を実行する。
【００３５】
管理コンピュータ１１は、電子ペン１８から送信（出力）された香典金額をハードディスクに格納（記憶）する香典金額記憶手段を実行し、氏名および住所と香典金額とをハードディスクから抽出し、氏名および住所と香典金額とを対応させつつ、香典金額合計と香典を金額毎に区分した香典内訳とを表示した香典台帳を作成する香典台帳作成手段を実行する。コンピュータ１１は、作成した香典台帳をハードディスクに格納（記憶）する香典台帳記憶手段を実行し、作成した香典台帳をディスプレイ１２やプリンタ１４を介して表示（出力）する香典台帳出力手段を実行する。コンピュータ１１は、故人の複数の遺影写真をハードディスクに格納（記憶）する遺影写真記憶手段を実行し、それら遺影写真をハードディスクから抽出しつつ、遺影写真を通夜や告別式の進行中に式場においてデジタルフォトフレーム１５を介して所定の時間間隔で順次表示する遺影写真表示手段を実行する。遺影写真は、デジタルカメラやスキャナ、メモリデバイス等からコンピュータ１１に入力される他、インターネットを介してＷｅｂデータや電子メールとしてコンピュータ１１に入力される。
【００３６】
ディスプレイ１２，１３には、管理コンピュータ１１に附属してコンピュータ１１の近傍に設置された液晶ディスプレイ１２と、葬儀式場に設置された大画面液晶ディスプレイ１３または大画面プラズマディスプレイ１３とが使用されている。プリンタ１３は、コンピュータ１１に附属してコンピュータ１１の近傍に設置されている。デジタルフォトフレーム１５は、祭壇２０に設置され、故人の遺影（静止画）を順次切り替えて表示する。
【００３７】
会葬者名簿１６（電子ペン対応用紙）や香典目録１７（電子ペン対応用紙）には、所定のドットパターンが印刷されている。会葬者名簿１６は、受付に備えられる。香典目録１７は、受付担当者が保管する。電子ペン１８は、受付に備えられる。電子ペン１８は、氏名および住所の会葬者名簿１６への記帳と同時にそれら氏名および住所を読み取り、読み取った氏名および住所をデジタル信号として管理コンピュータ１１に送信（出力）する。また、香典金額の香典目録１７への記載と同時にそれら香典金額を読み取り、読み取った香典金額をデジタル信号としてコンピュータ１１に送信（出力）する。
【００３８】
図３は、ディスプレイ１２に表示された初期画面の一例を示す図であり、図４は、情報入力や台帳作成の指示画面の一例を示す図である。図５は、葬儀情報等の入力画面の一例を示す図である。図４では、データ入力の図示を省略している。管理コンピュータ１１を起動させると、図示はしていないが、それに接続されたディスプレイ１２に認証画面が表示される。認証手続きにおける認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００３９】
認証画面には、ユーザ名の入力エリアとパスワードの入力エリアとが表示される。管理コンピュータ１１の操作者は、それら入力エリアにユーザ名とパスワードとを入力する。コンピュータ１１は、入力されたユーザ名およびパスワードをメモリに格納されたそれらと比較し、ユーザ名およびパスワードの正誤を判断する。ユーザ名およびパスワードが正しく認証結果が可である場合、コンピュータ１１は、葬儀支援システム１０の使用を許可する。コンピュータ１１は、各種アプリケーションを起動するとともに、ディスプレイ１２に図３に示す初期画面を表示する。ユーザ名やパスワードが誤っていて認証結果が不可である場合、コンピュータ１１は、葬儀支援システム１０の使用を禁止し、使用禁止メッセージをディスプレイ１２に表示する。
【００４０】
ディスプレイ１２に表示された初期画面には、図３に示すように、このシステム１０のタイトルとともに、開始ボタン３１、通夜進行ボタン３２、告別式進行ボタン３３、ログアウトボタン３４が表示される。ログアウトボタン３４を押すと、図示はしていないが、管理コンピュータ１１は、システム１０の続行の有無を問い合わせるメッセージとともに、続行ボタンおよび実行ボタンをディスプレイ１２に表示する。実行ボタンを押すと、コンピュータ１１は、このシステム１０からログアウト（システム１０を停止）する。
【００４１】
図３の初期画面において開始ボタン３１を押すと、管理コンピュータ１１は、情報入力や台帳作成の指示画面をディスプレイ１２に表示する。指示画面には、図４に示すように、故人氏名の入力エリア３５、喪主氏名の入力エリア３６、式場名入力エリア３７、葬儀情報入力３８、遺影写真入力３９、葬儀台帳作成４０、会葬者台帳作成４１、香典台帳作成４２、葬儀台帳表示４３、会葬者台帳表示４４、香典台帳表示４５の各項目、実行ボタン４６およびキャンセルボタン４７が表示される。なお、キャンセルボタン４７を押すと、管理コンピュータ１１は、図３の初期画面をディスプレイ１２に表示する。
【００４２】
葬儀情報を入力するには、図４の指示画面において、故人氏名入力エリア３５に故人の氏名を入力し、喪主氏名の入力エリア３６に喪主の氏名を入力するとともに、式場名入力エリア３７に式場の名称を入力した後、葬儀情報入力項目をクリックして葬儀情報入力３８を反転させ、実行ボタン４６を押す。実行ボタン４６を押すと、管理コンピュータ１１は、入力された故人氏名および喪主氏名を特定する故人喪主識別子を生成し、生成した故人喪主識別子を故人氏名および喪主氏名に設定する。さらに、式場名に対応する式場識別子をハードディスクから抽出するとともに、電子ペン識別子をハードディスクから抽出する。
【００４３】
管理コンピュータ１１は、故人氏名や喪主氏名、故人喪主識別子をハードディスクに格納するとともに、式場識別子および電子ペン識別子を故人喪主識別子に関連付けた状態でハードディスクに格納する。コンピュータ１１は、それらを格納した後、葬儀情報入力画面をディスプレイ１２に表示する。葬儀情報入力画面には、図５に示すように、通夜進行予定入力４８、告別式進行予定入力４９、通夜進行予定表示５０、告別式進行予定表示５１、先頭頁作成５２、最終頁作成５３、先頭頁表示５４、最終頁表示５５、個人データ入力５６、個人データ表示５７、弔辞および弔電入力５８、弔辞および弔電表示５９の各項目、実行ボタン６０およびキャンセルボタン６１が表示される。キャンセルボタン６１を押すと、コンピュータ１１は、図３の初期画面をディスプレイ１２に表示する。
【００４４】
図６は、通夜進行予定入力画面の一例を示す図であり、図７は、通夜進行予定の一例を示す図である。図６では、データ入力の図示を省略している。通夜進行予定を入力するには、図５の葬儀情報入力画面の通夜進行予定入力項目をクリックして通夜進行予定入力４８を反転させ、実行ボタン６０を押す。実行ボタン６０を押すと、管理コンピュータ１１は、通夜進行予定入力画面をディスプレイ１２に表示する。通夜進行予定入力画面には、図６に示すように、時間入力エリア６２、行事入力エリア６３、表示時間入力エリア６４、実行ボタン６５、クリアボタン６６、キャンセルボタン６７が表示される。通夜進行予定入力画面において時間入力エリア６２に行事の行われる時間を入力し、行事入力エリア６３に各行事を入力するとともに、表示時間入力エリア６４に表示年月日と表示時間とを入力した後、実行ボタン６５を押す。表示年月日は通夜進行予定を表示する通夜の日付であり、表示時間は通夜に日付における所定の時間である。たとえば、通夜の日の何時から何時までを設定する。
【００４５】
実行ボタン６５を押すと、管理コンピュータ１１は、それら入力エリア６２，６３，６４に入力された時間や行事、表示時間を表示した確認画面（図示せず）をディスプレイ１２に表示するとともに、実行ボタン、キャンセルボタンを表示する。再度実行ボタンを押すと、コンピュータ１１は、入力された時間や行事、表示時間の通夜進行予定データを故人喪主識別子に関連付けた状態でハードディスクに格納した後（通夜進行予定記憶手段）、図４の指示画面をディスプレイ１２に表示する。通夜進行予定入力画面においてクリアボタン６６を押すと、コンピュータ１１は、入力された各データを消去する。キャンセルボタン６７を押すと、コンピュータ１１は、図３の初期画面をディスプレイ１２に表示する。
【００４６】
入力した通夜進行予定を確認するには、図５の葬儀情報入力画面の通夜進行予定表示項目をクリックして通夜進行予定表示５０を反転させ、実行ボタン６０を押す。実行ボタン６０を押すと、管理コンピュータ１１は、図７に示す通夜進行予定をディスプレイ１２に表示する。ディスプレイ１２には、通夜進行予定の一例として、着席、僧侶入場、読教、焼香、僧侶退場、喪主あいさつ、通夜ぶるまいの各行時とそれら行事のタイムスケジュールとが表示される。
【００４７】
図８は、告別式進行予定入力画面の一例を示す図であり、図９は、告別式進行予定の一例を示す図である。図８では、データ入力の図示を省略している。告別式進行予定を入力するには、図５の葬儀情報入力画面の告別式進行予定入力項目をクリックして告別式進行予定入力４９を反転させ、実行ボタン６０を押す。実行ボタン６０を押すと、管理コンピュータ１１は、告別式進行予定入力画面をディスプレイ１２に表示する。告別式進行予定入力画面には、図８に示すように、時間入力エリア６８、行事入力エリア６９、表示時間入力エリア７０、実行ボタン７１、クリアボタン７２、キャンセルボタン７３が表示される。告別式進行予定入力画面において時間入力エリア６８に行事の行われる時間を入力し、行事入力エリア６９に各行事を入力するとともに、表示時間入力エリア７０に表示年月日と表示時間とを入力した後、実行ボタン７１を押す。表示年月日は告別式進行予定を表示する告別式の日付であり、表示時間は告別式に日付における所定の時間である。たとえば、告別式の日の何時から何時までを設定する。
【００４８】
実行ボタン７１を押すと、管理コンピュータ１１は、それら入力エリア６８，６９，７０に入力された時間や行事、表示時間を表示した確認画面（図示せず）をディスプレイ１２に表示するとともに、実行ボタン、キャンセルボタンを表示する。再度実行ボタンを押すと、コンピュータ１１は、入力された時間や行事、表示時間の告別式進行予定データを故人喪主識別子に関連付けた状態でハードディスクに格納した後（告別式進行予定記憶手段）、図４の指示画面をディスプレイ１２に表示する。告別式進行予定入力画面においてクリアボタン７２を押すと、コンピュータ１１は、入力された各データを消去する。キャンセルボタン７３を押すと、コンピュータ１１は、図３の初期画面をディスプレイ１２に表示する。
【００４９】
入力した告別式進行予定を確認するには、図５の葬儀情報入力画面の告別式進行予定表示項目をクリックして告別式進行予定表示５１を反転させ、実行ボタン６０を押す。実行ボタン６０を押すと、管理コンピュータ１１は、図９に示す告別式進行予定をディスプレイ１２に表示する。ディスプレイ１２には、告別式進行予定の一例として、着席、僧侶入場、開式の辞、読教、弔電披露、遺族親族の焼香、会葬者の焼香、僧侶退場、喪主あいさつ、閉式の辞の各行事とそれら行事のタイムスケジュールとが表示される。
【００５０】
図１０は、先頭頁作成画面の一例を示す図であり、図１１は、先頭頁の一例を示す図である。図１０では、データ入力の図示を省略している。ディスプレイ１３に最初に表示される先頭頁を作成するには、図５の葬儀情報入力画面の先頭頁作成項目をクリックして先頭頁作成５２を反転させ、実行ボタン６０を押す。実行ボタン６０を押すと、管理コンピュータ１１は、図示はしていないが、先頭頁の各種複数の背景デザインをディスプレイ１２に表示する。それら背景デザインの中から先頭頁に使用する背景デザインを選択して実行ボタンを押すと、コンピュータ１１は、選択された背景デザインを故人喪主識別子に関連付けた状態でハードディスクに格納する。次に、コンピュータ１１は、先頭頁作成画面をディスプレイ１２に表示する。先頭頁作成画面には、図１０に示すように、年月日入力エリア７４、式場名入力エリア７５、メッセージ入力エリア７６、写真入力エリア７７、表示時間入力エリア７８、実行ボタン７９、クリアボタン８０、キャンセルボタン８１が表示される。
【００５１】
先頭頁作成画面において年月日入力エリア７４に通夜の年月日を入力し、式場名入力エリア７５に式場名を入力するとともに、メッセージ入力エリア７６にメッセージを入力する。さらに、写真入力エリア７７に写真を入力し、表示時間入力エリア７８に表示年月日と表示時間とを入力した後、実行ボタン７９を押す。表示年月日は先頭頁を表示する通夜および告別式の日付であり、表示時間は通夜および告別式に日付における所定の時間である。たとえば、通夜および告別式の日の何時から何時までを設定する。なお、通夜と告別式とにおいて異なる先頭頁を作成し、通夜と告別式とにおいて別々の先頭頁をディスプレイ１３に表示することができる。
【００５２】
実行ボタン７９を押すと、管理コンピュータ１１は、選択された背景デザインの中にそれら入力エリア７４〜７８に入力された年月日や式場、メッセージ、写真、表示時間を表示した確認画面（図示せず）をディスプレイ１２に表示するとともに、実行ボタン、キャンセルボタンを表示する。再度実行ボタンを押すと、コンピュータ１１は、入力された年月日や式場名、メッセージ、写真、表示時間の先頭頁データを故人喪主識別子に関連付けた状態でハードディスクに格納した後、図４の指示画面をディスプレイ１２に表示する。先頭頁作成画面においてクリアボタン８０を押すと、コンピュータ１１は、入力した各データを消去する。キャンセルボタン８１を押すと、コンピュータ１１は、図３の初期画面をディスプレイ１２に表示する。
【００５３】
入力した先頭頁を確認するには、図５の葬儀情報入力画面の先頭頁表示項目をクリックして先頭頁表示５４を反転させ、実行ボタン６０を押す。実行ボタン６０を押すと、管理コンピュータ１１は、図１１に示す先頭頁をディスプレイ１２に表示する。ディスプレイ１２には、先頭頁の一例として、故人氏名、式場名、喪主氏名、葬儀年月日、故人写真、メッセージが表示される。なお、先頭頁データを図示のそれらに限定するものではなく、各種複数の先頭頁データを任意に設定することができる。
【００５４】
図１２は、最終頁作成画面の一例を示す図であり、図１３は、最終頁の一例を示す図である。図１２では、データ入力の図示を省略している。ディスプレイ１３に最後に表示される最終頁を作成するには、図５の葬儀情報入力画面の最終頁作成項目をクリックして最終頁作成５３を反転させ、実行ボタン６０を押す。実行ボタン６０を押すと、管理コンピュータ１１は、図示はしていないが、最終頁の各種複数の背景デザインをディスプレイ１２に表示する。それら背景デザインの中から最終頁に使用する背景デザインを選択して実行ボタンを押すと、コンピュータ１１は、選択された背景デザインを故人喪主識別子に関連付けた状態でハードディスクに格納する。次に、コンピュータ１１は、最終頁作成画面をディスプレイ１２に表示する。最終頁作成画面には、図７に示すように、年月日入力エリア８２、メッセージ入力エリア８３、表示時間入力エリア８４、実行ボタン８５、クリアボタン８６、キャンセルボタン８７が表示される。
【００５５】
最終頁作成画面において年月日入力エリア８２に年月日を入力し、メッセージ入力エリア８３にメッセージを入力するとともに、表示時間入力エリア８４に表示年月日と表示時間とを入力した後、実行ボタン８５を押す。表示年月日は最終頁を表示する通夜および告別式の日付であり、表示時間は通夜および告別式に日付における所定の時間である。たとえば、通夜および告別式の日の何時から何時までを設定する。なお、通夜と告別式とにおいて異なる最終頁を作成し、通夜と告別式とにおいて別々の最終頁をディスプレイ１３に表示することができる。
【００５６】
実行ボタン８５を押すと、管理コンピュータ１１は、選択された背景デザインの中にそれら入力エリア８２，８３，８４に入力された年月日やメッセージ、表示時間を表示した確認画面（図示せず）をディスプレイ１２に表示するとともに、実行ボタン、キャンセルボタンを表示する。再度実行ボタンを押すと、コンピュータ１１は、入力された年月日やメッセージ、表示時間を故人喪主識別子に関連付けた状態でハードディスクに格納した後、図４の指示画面をディスプレイ１２に表示する。最終頁作成画面においてクリアボタン８６を押すと、コンピュータ１１は、入力した各データを消去する。キャンセルボタン８７を押すと、コンピュータ１１は、図３の初期画面をディスプレイ１２に表示する。
【００５７】
入力した最終頁を確認するには、図５の葬儀情報入力画面の最終頁表示項目をクリックして最終頁表示５５を反転させ、実行ボタン６０を押す。実行ボタン６０を押すと、管理コンピュータ１１は、図１３に示す最終頁をディスプレイ１２に表示する。ディスプレイ１２には、最終頁の一例として、喪主氏名、メッセージが表示される。なお、最終頁データを図示のそれらに限定するものではなく、各種複数の最終頁データを任意に設定することができる。
【００５８】
図１４は、個人データ入力画面の一例を示す図であり、図１５は、プロフィールの一例を示す図である。図１６は、家族構成の一例を示す図であり、図１７は、思い出写真の一例を示す図である。図１４では、データ入力の図示を省略している。故人の個人データを入力する場合は、図５の葬儀情報入力画面の個人データ入力項目をクリックして個人データ入力５６を反転させ、実行ボタン６０を押す。実行ボタン６０を押すと、管理コンピュータ１１は、個人データ入力画面をディスプレイ１２に表示する。
【００５９】
個人データ入力画面には、図１４に示すように、プロフィール入力エリア８８、経歴入力エリア８９、思い出写真入力エリア９０、表示時間入力エリア９１、実行ボタン９２、クリアボタン９３、キャンセルボタン９４が表示される。プロフィール入力エリア８８に故人のプロフィール（生年月日、血液型、年齢、趣味、性格、出身地等）を入力し、経歴入力エリア８９に故人の経歴（家族構成、出身校、勤務歴、業績等）を入力する。さらに、思い出写真入力エリア９０に生前の写真やメッセージを入力し、表示時間入力エリア９１に表示年月日と表示時間とを入力した後、実行ボタン９２を押す。なお、個人データは、インターネットを介してＷｅｂデータや電子メールとしてコンピュータ１１に入力することもでき、メモリデバイスからコンピュータ１１に入力することもできる。表示年月日は個人データを表示する通夜および告別式の日付であり、表示時間は通夜および告別式に日付における所定の時間である。たとえば、通夜および告別式の日の何時から何時までを設定する。通夜と告別式とにおいて異なる個人データを作成し、通夜と告別式とにおいて別々の個人データをディスプレイ１２に表示することができる。
【００６０】
実行ボタン９２を押すと、管理コンピュータ１１は、それら入力エリア８８〜９１に入力されたプロフィールや経歴、思い出写真（メッセージを含む）、表示時間を表示した確認画面（図示せず）をディスプレイ１２に表示するとともに、実行ボタン、キャンセルボタンを表示する。再度実行ボタンを押すと、コンピュータ１１は、入力されたプロフィールや経歴、思い出写真、表示時間の個人データを故人喪主識別子に関連付けた状態でハードディスクに格納した後（個人データ記憶手段）、図４の指示画面をディスプレイ１２に表示する。個人データ入力画面においてクリアボタン９３を押すと、コンピュータ１１は、入力された各データを消去する。キャンセルボタン９４を押すと、コンピュータ１１は、図３の初期画面をディスプレイ１２に表示する。
【００６１】
入力した個人データを確認するには、図５の葬儀情報入力画面の個人データ表示項目をクリックして個人データ表示５７を反転させ、実行ボタン６０を押す。実行ボタン６０を押すと、管理コンピュータ１１は、図１５〜図１７に示す個人データをディスプレイ１２に順に表示する。ディスプレイ１２には、プロフィールの一例として、生年月日、血液型、年齢、趣味、性格、出身地が表示され、家族構成の一例として、故人や妻、長男、長女、二男が表示されるとともに、思い出写真およびメッセージが表示される。なお、個人データを図示のそれらに限定するものではなく、各種複数の個人データを任意に設定することができる。
【００６２】
図１８は、弔辞弔電入力画面の一例を示す図であり、図１９は、弔辞および弔電の一例を示す図である。図１８では、データ入力の図示を省略している。弔辞および弔電を入力する場合は、図５の葬儀情報入力画面の弔辞および弔電入力項目をクリックして弔辞および弔電入力５８を反転させ、実行ボタン６０を押す。実行ボタン６０を押すと、管理コンピュータ１１は、図１８に示す弔辞弔電入力画面をディスプレイ１２に表示する。弔辞弔電入力画面には、表示順番付きの弔辞弔電入力エリア９５、表示時間入力エリア９６、実行ボタン９７、クリアボタン９８、キャンセルボタン９９が表示される。
【００６３】
弔辞弔電入力エリア９５に弔辞や弔電を入力し、表示時間入力エリア９６に表示年月日と表示時間とを入力した後、実行ボタン９７を押す。なお、弔辞や弔電は、インターネットを介してＷｅｂデータや電子メールとしてコンピュータ１１に入力することもでき、メモリデバイスからコンピュータ１１に入力することもできる。表示年月日は弔辞や弔電を表示する通夜および告別式の日付であり、表示時間は通夜および告別式に日付における所定の時間である。たとえば、通夜および告別式の日の何時から何時までを設定する。表示時間を設定することで、通夜と告別式とにおいて別々の弔辞や弔電をディスプレイ１３に表示することができる。
【００６４】
実行ボタン９７を押すと、管理コンピュータ１１は、それら入力エリア９５，９６に入力された弔辞や弔電、表示時間を表示した確認画面（図示せず）をディスプレイ１２に表示するとともに、実行ボタン、キャンセルボタンを表示する。再度実行ボタンを押すと、コンピュータ１１は、入力された弔辞や弔電、表示時間を故人喪主識別子に関連付けた状態でハードディスクに格納した後（弔辞弔電記憶手段）。図４の指示画面をディスプレイ１２に表示する。弔辞弔電入力画面においてクリアボタン９８を押すと、コンピュータ１１は、入力された各データを消去する。キャンセルボタン９９を押すと、コンピュータ１１は、図３の初期画面をディスプレイ１２に表示する。
【００６５】
入力した弔辞や弔電を確認するには、図５の葬儀情報入力画面の弔辞および弔電表示項目をクリックして弔辞および弔電表示５９を反転させ、実行ボタン６０を押す。実行ボタン６０を押すと、管理コンピュータ１１は、図１９に示す弔辞および弔電をディスプレイ１２に順番に表示する。ディスプレイ１２には、弔辞紹介メッセージ、弔辞送信者名、弔辞および弔電の内容が表示される。
【００６６】
図２０は、遺影写真入力画面の一例を示す図である。図２０では、データ入力の図示を省略している。遺影写真を入力する場合は、図４の指示画面の遺影写真入力項目をクリックして遺影写真入力を反転させ、実行ボタンを押す。実行ボタンを押すと、管理コンピュータ１１は、図２０に示す遺影写真入力画面をディスプレイ１２に表示する。遺影写真入力画面には、表示順番付きの遺影写真入力エリア１００、表示時間入力エリア１０１、表示間隔入力エリア１０２、実行ボタン１０３、クリアボタン１０４、キャンセルボタン１０５が表示される。遺影写真入力エリア１００に遺影写真を入力し、表示時間入力エリア１０１に表示年月日と表示時間とを入力するとともに、表示間隔入力エリア１０２に各遺影写真の表示時間間隔を入力した後、実行ボタン１０３を押す。なお、遺影写真は、デジタルカメラやメモリデバイスからコンピュータ１１に入力する。表示年月日は遺影写真を表示する通夜および告別式の日付であり、表示時間は通夜および告別式に日付における所定の時間である。たとえば、通夜および告別式の日の何時から何時までを設定する。表示時間を設定することで、通夜と告別式とにおいて別々の遺影写真をディスプレイ１２に表示することができる。
【００６７】
実行ボタン１０３を押すと、管理コンピュータ１１は、それら入力エリア１００，１０１，１０２に入力された遺影写真や表示時間、表示時間間隔を表示した確認画面（図示せず）をディスプレイ１２に表示するとともに、実行ボタン、キャンセルボタンを表示する。再度実行ボタンを押すと、コンピュータ１１は、入力された遺影写真や表示時間、表示時間間隔を故人喪主識別子に関連付けた状態でハードディスクに格納した後（遺影写真記憶手段）、図４の指示画面をディスプレイ１２に表示する。遺影写真入力画面においてクリアボタン１０４を押すと、コンピュータ１１は、入力された各データを消去する。キャンセルボタン１０５を押すと、コンピュータ１１は、図３の初期画面をディスプレイ１２に表示する。
【００６８】
図２１は、通夜予定表画面の一例を示す図であり、図２２は、通夜進行画面の一例を示す図である。それらの入力手続が終わり、各データを管理コンピュータ１１に格納した後、通夜および告別式を迎える。このシステム１０を利用した通夜の運営手順の一例を説明すると以下のとおりである。図３の初期画面において通夜進行ボタン３２を押す。通夜進行ボタン３２を押すと、管理コンピュータ１１は、通夜予定表画面をディスプレイ１２に表示する。通夜予定表画面には、図２１に示すように、故人氏名や喪主氏名、通夜年月日が表示された複数の通夜予定表示エリア１０６、実行ボタン１０７、キャンセルボタン１０８が表示される。それら通夜予定表示エリア１０６のうち、通夜を実施するエリア１０６をクリックしてそのエリア１０６を反転させ、実行ボタン１０７を押す。
【００６９】
実行ボタン１０７を押すと、管理コンピュータ１１は、指定（反転）したエリア１０６の故人喪主識別子に対応する故人氏名、喪主氏名、通夜進行予定データをハードディスクから抽出し、それらを表示した通夜進行画面をディスプレイ１２に表示する。通夜進行画面には、図２２に示すように、故人氏名、喪主氏名、通夜年月日、通夜進行予定、開始ボタン１０９、キャンセルボタン１１０が表示される。キャンセルボタン１０８，１１０を押すと、コンピュータ１１は、図３の初期画面をディスプレイ１２に表示する。
【００７０】
通夜進行画面において開始ボタン１０９を押すと、管理コンピュータ１１は、通夜進行画面のうちの通夜進行予定データをハードディスクから抽出し、その通夜進行予定を通夜の式場に設置されたディスプレイ１３に指定表示時間の間だけ表示する（通夜進行予定出力手段）（図７援用）。さらに、コンピュータ１１は、指定（反転）したエリア１０６の故人喪主識別子に対応する複数の遺影写真をハードディスクから抽出し、それら遺影写真を指定された順番であって、通夜の日付における指定表示時間の間であって指定時間間隔でデジタルフォトフレーム１５に表示する（遺影写真表示手段）。なお、複数のエリア１０６を反転させることで、それらエリア１０６に対応する（各エリア１０６の各故人喪主識別子に対応する）通夜予定や遺影写真をそれら通夜が行われる各式場毎（式場識別子によって特定される式場）にそれぞれ表示することもできる。
【００７１】
葬儀支援システム１０は、通夜進行予定を通夜における式場においてディスプレイ１３を介して出力するから、通夜に参列した遺族や親族、会葬者に通夜の開始から終了までの時間や通夜において行われる行事の目録、行事の時間等を知らせることができ、通夜の円滑な進行を図ることができる。葬儀支援システム１０は、通夜において故人の複数の遺影写真を祭壇に設置されたデジタルフォトフレーム１５に順次表示させることができるから、故人の生前の各種複数の顔を親族や会葬者に見せることができ、親族や会葬者がそれら遺影写真を確認しつつ生前の故人を偲ぶことができる。葬儀支援システム１０は、図２１の通夜予定画面において各通夜を指定することで、複数の式場において行われる通夜予定をそれら式場毎に表示することができる。葬儀支援システム１０は、複数の式場において行われる通夜の予定を管理コンピュータ１１を介して一元的に管理することができる。
【００７２】
通夜進行予定の表示時間が経過すると、管理コンピュータ１１は、指定（反転）したエリア１０６の故人喪主識別子に対応する先頭頁をハードディスクから抽出し、その先頭頁を通夜の式場に設置されたディスプレイ１３に指定表示時間の間だけ表示する（図１１援用）。先頭頁の表示時間が経過すると、コンピュータ１１は、指定された故人の個人データをハードディスクから抽出し、その個人データを通夜の式場に設置されたディスプレイ１３に指定された表示時間だけ表示する（個人データ出力手段）（図１５〜図１７援用）。なお、複数のエリア１０６を反転させることで、それらエリア１０６に対応する（各エリアの各故人喪主識別子に対応する）先頭頁や個人データをそれら通夜が行われる各式場毎（式場識別子によって特定される式場）にそれぞれ表示することもできる。
【００７３】
葬儀支援システム１０は、故人の生前におけるプロフィールや経歴、思い出写真等の各種複数の個人データを通夜の進行中に通夜式場においてディスプレイ１３を介して所定の時間間隔で順次出力するから、故人の生前を知らない親族や会葬者にその故人のプロフィールや経歴、思い出写真等を通夜式場において知らせることができ、親族や会葬者がそれら個人データを確認しつつ生前の故人を偲ぶことができる。葬儀支援システム１０は、個人データとして故人の生前のあらゆるデータを表示することができるから、通夜の演出効果を確実に高めることができ、故人のみならず遺族や親族にとっても最良の通夜を行うことができる。葬儀支援システム１０は、図２１の通夜予定画面において各通夜を指定することで、通夜が行われる複数の式場において個人データをそれら式場毎に表示することができる。葬儀支援システム１０は、複数の式場における個人データを管理コンピュータ１１を介して一元的に管理することができる。
【００７４】
個人データの表示時間が経過すると、管理コンピュータ１１は、指定（反転）したエリア１０６の故人喪主識別子に対応する弔意弔電をハードディスクから抽出し、それら弔意弔電を通夜の式場に設置されたディスプレイ１３に指定表示時間の間だけ表示する（弔辞弔電出力手段）（図１９援用）。弔意弔電の表示時間が経過すると、コンピュータ１１は、指定（反転）したエリア１０６の故人喪主識別子に対応する最終頁をハードディスクから抽出し、その最終頁を通夜の式場に設置されたディスプレイ１３に指定表示時間の間だけ表示する（図１３援用）。さらに、最終頁の表示時間が経過すると、コンピュータ１１は、ディスプレイ１３の表示を終了する。
【００７５】
葬儀支援システム１０は、弔辞および弔電を通夜の進行中に通夜式場において所定の時間間隔でディスプレイ１３を介して出力するから、弔辞や弔電を通夜式場において順次照会することができ、葬儀に参列できない人の弔辞や弔電を親族や会葬者に知らせることができる。葬儀支援システム１０は、図２１の通夜予定画面において各通夜を指定することで、通夜が行われる複数の式場において弔意弔電をそれら式場毎に表示することができる。葬儀支援システム１０は、複数の式場における弔意弔電を管理コンピュータ１１を介して一元的に管理することができる。
【００７６】
図２３は、通夜用会葬者名簿１６の一例を示す図であり、図２４は、通夜用香典目録１７の一例を示す図である。図２３，２４では、データ入力の図示を省略している。通夜において焼香に訪れた会葬者（親族を含む）は、受付に設置された通夜用会葬者名簿１６（電子ペン専用用紙）に氏名と住所とを記帳するとともに、香典袋を受付担当者に渡す。会葬者名簿１６への氏名や住所の記入は、電子ペン１８によって行われる。なお、使用される電子ペン１８は、故人喪主識別子に対応する電子ペン識別子を持つそれらである。会葬者名簿１６には、連番が表示されている。電子ペン１８は、氏名および住所の会葬者名簿１６への記帳と同時にそれら氏名および住所を読み取り、読み取った氏名および住所をデジタル信号として管理コンピュータ１１に出力する。コンピュータ１１は、電子ペン１８から出力された氏名および住所を会葬者名簿１６の連番と故人喪主識別子とに関連付けた状態で記憶する（氏名住所記憶手段）。
【００７７】
通夜において受付担当者は、会葬者から渡された香典袋から香典を取り出し、その金額を通夜用香典目録１７（電子ペン専用用紙）に記載する。香典目録への香典金額の記入は、電子ペン１８によって行われる。香典目録１７には、会葬者名簿１６の連番に対応する連番が表示されている。電子ペン１８は、香典金額の香典目録１７への記帳と同時にそれら香典金額を読み取り、読み取った金額をデジタル信号として管理コンピュータ１１に出力する。コンピュータ１１は、電子ペン１８から出力された香典金額を会葬者名簿１６の連番と故人喪主識別子とに関連付けた状態で記憶する（香典金額記憶手段）。
【００７８】
図２５は、告別式予定表画面の一例を示す図であり、図２６は、告別式進行画面の一例を示す図である。このシステム１０を利用した告別式の運営手順の一例を説明すると以下のとおりである。図３の初期画面において告別式進行ボタン３３を押す。告別式進行ボタン３３を押すと、管理コンピュータ１１は、告別式予定表画面をディスプレイ１２に表示する。告別式予定表画面には、図２５に示すように、故人氏名や喪主氏名、告別式年月日が表示された複数の告別式予定表示エリア１１１、実行ボタン１１２、キャンセルボタン１１３が表示される。それら告別式予定表示エリア１１１のうち、告別式を実施するエリア１１１をクリックしてそのエリア１１１を反転させ、実行ボタン１１２を押す。
【００７９】
実行ボタン１１２を押すと、管理コンピュータ１１は、指定（反転）したエリア１１１の故人喪主識別子に対応する故人氏名、喪主氏名、告別式進行予定データをハードディスクから抽出し、それらを表示した告別式進行画面をディスプレイ１２に表示する。告別式進行画面には、図２６に示すように、故人氏名、喪主氏名、告別式年月日、告別式進行予定、開始ボタン１１４、キャンセルボタン１１５が表示される。キャンセルボタン１１３，１１５を押すと、コンピュータ１１は、図３の初期画面をディスプレイ１２に表示する。
【００８０】
告別式進行画面において開始ボタン１１４を押すと、管理コンピュータ１１は、告別式進行画面のうちの告別式進行予定データをハードディスクから抽出し、その告別式進行予定を告別式の式場に設置されたディスプレイ１３に指定表示時間の間だけ表示する（告別式進行予定出力手段）（図９援用）。さらに、コンピュータ１１は、指定（反転）したエリア１１１の故人喪主識別子に対応する複数の遺影写真をハードディスクから抽出し、それら遺影写真を指定された順番であって、通夜の日付における指定表示時間の間であって指定時間間隔でデジタルフォトフレーム１５に表示する（遺影写真表示手段）。なお、複数のエリア１１１を反転させることで、それらエリア１１１に対応する（各エリア１１１の各故人喪主識別子に対応する）告別式予定や遺影写真をそれら告別式が行われる各式場毎（式場識別子によって特定される式場）にそれぞれ表示することもできる。
【００８１】
葬儀支援システム１０は、告別式進行予定を告別式における式場においてディスプレイ１３を介して出力するから、告別式に参列した遺族や親族、会葬者に告別式の開始から終了までの時間や告別式において行われる行事の目録、行事の時間等を知らせることができ、告別式の円滑な進行を図ることができる。葬儀支援システム１０は、告別式において故人の複数の遺影写真を祭壇に設置されたデジタルフォトフレーム１５に順次表示させることができるから、故人の生前の各種複数の顔を親族や会葬者に見せることができ、親族や会葬者がそれら遺影写真を確認しつつ生前の故人を偲ぶことができる。葬儀支援システム１０は、図２５の告別式予定画面において各告別式を指定することで、複数の式場において行われる告別式予定をそれら式場毎に表示することができる。葬儀支援システム１０は、複数の式場において行われる告別式の予定を管理コンピュータ１１を介して一元的に管理することができる。
【００８２】
告別式進行予定の表示時間が経過すると、管理コンピュータ１０は、指定された故人の先頭頁をハードディスクから抽出し、その先頭頁を告別式の式場に設置されたディスプレイ１３に指定表示時間の間だけ表示する（図１１援用）。告別式における先頭頁は、通夜において表示したそれと異なる頁を表示することができるが、通夜において表示したそれと同一の頁を表示することもできる。なお、複数のエリア１１１を反転させることで、それらエリア１１１に対応する（各エリア１１１の各故人喪主識別子に対応する）先頭頁をそれら告別式が行われる各式場毎（式場識別子によって特定される式場）にそれぞれ表示することもできる。
【００８３】
先頭頁の表示時間が経過すると、コンピュータ１１は、指定された故人の個人データをハードディスクから抽出し、その個人データを告別式の式場に設置されたディスプレイ１３に指定表示時間の間だけ表示する（個人データ出力手段）（図１５〜図１７援用）。告別式における個人データは、通夜において表示したそれと異なるデータを表示することができるが、通夜において表示したそれと同一のデータを表示することもできる。なお、複数のエリア１１１を反転させることで、それらエリア１１１に対応する（各エリア１１１の各故人喪主識別子に対応する）個人データをそれら告別式が行われる各式場毎（式場識別子によって特定される式場）にそれぞれ表示することもできる。
【００８４】
葬儀支援システム１０は、故人の生前におけるプロフィールや経歴、思い出写真等の各種複数の個人データを告別式の進行中に告別式の式場においてディスプレイ１３を介して所定の時間間隔で順次出力するから、故人の生前を知らない親族や会葬者にその故人のプロフィールや経歴、思い出写真等を告別式の式場において知らせることができ、親族や会葬者がそれら個人データを確認しつつ生前の故人を偲ぶことができる。葬儀支援システム１０は、個人データとして故人の生前のあらゆるデータを表示することができるから、告別式の演出効果を確実に高めることができ、故人のみならず遺族や親族にとっても最良の告別式を行うことができる。葬儀支援システム１０は、図２５の通夜予定画面において各告別式を指定することで、告別式が行われる複数の式場において個人データをそれら式場毎に表示することができる。
【００８５】
個人データの表示時間が経過すると、管理コンピュータ１１は、指定（反転）したエリア１１１の故人喪主識別子に対応する弔意弔電をハードディスクから抽出し、それら弔意弔電を告別式の式場に設置されたディスプレイ１３に指定表示時間の間だけ表示する（弔辞弔電出力手段）（図１９援用）。告別式における弔意弔電は、通夜において表示したそれと異なる弔意弔電を表示することができるが、通夜において表示したそれと同一の弔意弔電を表示することもできる。弔意弔電の表示時間が経過すると、コンピュータ１１は、指定（反転）したエリア１１１の故人喪主識別子に対応する最終頁をハードディスクから抽出し、その最終頁を告別式の式場に設置されたディスプレイ１３に指定表示時間の間だけ表示する（図１３援用）。告別式における最終頁は、通夜において表示したそれと異なる頁を表示することができるが、通夜において表示したそれと同一の頁を表示することもできる。さらに、最終頁の表示時間が経過すると、コンピュータ１１は、ディスプレイ１３の表示を終了する。
【００８６】
葬儀支援システム１０は、弔辞および弔電を告別式の進行中に告別式の式場において所定の時間間隔でディスプレイ１３を介して出力するから、弔辞や弔電を告別式の式場において順次照会することができ、葬儀に参列できない人の弔辞や弔電を親族や会葬者に知らせることができる。葬儀支援システム１０は、図２５の通夜予定画面において各告別式を指定することで、告別式が行われる複数の式場において弔意弔電をそれら式場毎に表示することができる。
【００８７】
図２７は、告別式用会葬者名簿１６の一例を示す図であり、図２８は、告別式用香典目録１７の一例を示す図である。図２７，２８では、データ入力の図示を省略している。告別式において焼香に訪れた会葬者（親族を含む）は、受付に設置された告別式用会葬者名簿１６（電子ペン専用用紙）に氏名と住所とを記帳する。さらに、初めて焼香に訪れた会葬者は、香典袋を受付担当者に渡す。会葬者名簿１６への氏名や住所の記入は、電子ペン１８によって行われる。なお、使用される電子ペン１８は、故人喪主識別子に対応する電子ペン識別子を持つそれらである。会葬者名簿１６には、連番が表示されている。電子ペン１８は、氏名および住所の会葬者名簿１６への記帳と同時にそれら氏名および住所を読み取り、読み取った氏名および住所をデジタル信号として管理コンピュータ１１に出力する。コンピュータ１１は、電子ペン１８から出力された氏名および住所を会葬者名簿１６の連番と故人喪主識別子とに関連付けた状態で記憶する（氏名住所記憶手段）。
【００８８】
告別式において受付担当者は、会葬者から渡された香典袋から香典を取り出し、その金額を告別式用香典目録１７（電子ペン専用用紙）に記載する。香典目録への香典金額の記入は、電子ペン１８によって行われる。香典目録１７には、会葬者名簿１６の連番に対応する連番が表示されている。電子ペン１８は、香典金額の香典目録への記帳と同時にそれら香典金額を読み取り、読み取った金額をデジタル信号として管理コンピュータ１１に出力する。コンピュータ１１は、電子ペン１８から出力された香典金額を会葬者名簿１６の連番と故人喪主識別子とに関連付けた状態で記憶する（香典金額記憶手段）。
【００８９】
図２９は、会葬者台帳１１６の一例を示す図である。図２９では、データ表示の図示を省略している。通夜が終了した後、または、告別式が終了した後に会葬者台帳１１６を作成するには、図４の指示画面において故人氏名および喪主氏名を入力し、会葬者台帳作成項目をクリックして会葬者台帳作成４０を反転させ、実行ボタン４６を押す。実行ボタン４６を押すと、コンピュータ１１は、入力された故人氏名および喪主氏名の故人喪主識別子に対応する氏名および住所をハードディスクから抽出し、抽出したそれら氏名および住所を所定形式の会葬者台帳に表記して会葬者台帳１１６を作成し（会葬者台帳作成手段）、作成した会葬者台帳１１６を故人喪主識別子に関連付けた状態でハードディスクに格納する（会葬者台帳記憶手段）。
【００９０】
なお、コンピュータ１１は、通夜および告別式の双方に出席し、通夜用会葬者名簿１６や告別式用会葬者名簿１６に氏名や住所の記載がある場合、重複した氏名や住所の一方を削除して会葬者台帳１１６を作成する。また、コンピュータ１１は、通夜における会葬者台帳１１６を作成し、告別式における会葬者台帳１１６を別々に作成することもできる。会葬者台帳１１６への会葬者の並び順は、アイウエオ順やアルファベット順、会葬者名簿１６の連番順等自由に変更することができる。
【００９１】
図４の指示画面において故人氏名および喪主氏名を入力した後、会葬者台帳表示項目をクリックして会葬者台帳表示４３を反転させ、実行ボタン４６を押すと、コンピュータ１１は、入力された故人氏名および喪主氏名の故人喪主識別子に対応する会葬者台帳１１６をハードディスクから抽出し、抽出した会葬者台帳１１６をディスプレイ１２に表示するとともに（会葬者台帳出力手段）、印刷指示の入力によってプリンタ１４から会葬者台帳１１６を出力する（会葬者台帳出力手段）。
【００９２】
作成および出力された会葬者台帳１１６には、図２９に示すように、故人氏名や喪主氏名が表示され、連番とともに名前表示エリアに会葬者の名前が表示されるとともに、住所表示エリアに会葬者の住所が表示される。葬儀支援システム１０は、受付担当者等が会葬者名簿１６に記帳された親族や会葬者の氏名や住所を別途書き写すことなく、それら親族や会葬者の氏名や住所を表示した会葬者台帳１１６が作成されるから、受付担当者等の会葬者台帳作成の手間を省くことができ、葬儀における受付業務の簡素化を図ることができる。また、受付担当者等が会葬者名簿１６に記帳された親族や会葬者の氏名や住所を別途書き写すことによる記載ミスを防ぐことができる。
【００９３】
図３０，３１は、葬儀台帳１１７の一例を示す図である。通夜が終了した後、または、告別式が終了した後に葬儀台帳１１７を作成するには、図４の指示画面において故人氏名および喪主氏名を入力し、葬儀台帳作成項目をクリックして葬儀台帳作成４０を反転させ、実行ボタン４６を押す。実行ボタン４６を押すと、コンピュータ１１は、入力された故人氏名および喪主氏名の故人喪主識別子に対応する先頭頁、通夜進行予定、告別式進行予定、個人データ、最終頁、弔意および弔辞をハードディスクから抽出し、抽出したそれら先頭頁、通夜進行予定、告別式進行予定、個人データ、最終頁、弔意および弔辞を所定形式の葬儀台帳に表記して葬儀台帳１１７を作成し（葬儀台帳作成手段）、作成した葬儀台帳１１７を故人喪主識別子に関連付けた状態でハードディスクに格納する（葬儀台帳記憶手段）。
【００９４】
図４の指示画面において故人氏名および喪主氏名を入力した後、葬儀台帳表示項目をクリックして葬儀台帳表示４４を反転させ、実行ボタン４６を押すと、コンピュータ１１は、入力された故人氏名および喪主氏名の故人喪主識別子に対応する葬儀台帳１１７をハードディスクから抽出し、抽出した葬儀台帳１１７をディスプレイ１２に表示するとともに（葬儀台帳出力手段）、印刷指示の入力によってプリンタ１２から葬儀台帳１１７を出力する（葬儀台帳出力手段）。
【００９５】
作成および出力された葬儀台帳１１７には、図３０に示すように、故人氏名や喪主氏名が表示され、葬儀に使用した先頭頁や通夜進行予定、告別式進行予定、個人データが表示される。また、図３１に示すように、送られた弔辞および弔電が表示される。葬儀支援システム１０は、各種の個人データや弔辞および弔電を表示した故人の葬儀台帳を作成し、作成した葬儀台帳を出力するから、葬儀に用いた故人のプロフィールや経歴、思い出写真等の個人データ、弔辞や弔電を葬儀台帳に纏めることで、故人の葬儀における思い出を作ることができるとともに、故人の葬儀履歴を残すことができる。この葬儀支援システム１０は、故人の個人データを表示した葬儀台帳を御霊前や御仏前に供え、故人の冥福を祈りつつ、故人の供養に供することができる。
【００９６】
図３２は、香典台帳１１８の一例を示す図である。通夜が終了した後、または、告別式が終了した後に香典台帳１１８を作成するには、図４の指示画面において故人氏名および喪主氏名を入力し、香典台帳作成項目をクリックして香典台帳作成４２を反転させ、実行ボタン４６を押す。実行ボタン４６を押すと、管理コンピュータ１１は、入力された故人氏名および喪主氏名の故人喪主識別子と会葬者名簿の連番とに関連付けされた香典金額をハードディスクから抽出し、抽出したそれら香典金額の合計金額を計算するとともに、それら香典金額を金額毎に区分し、香典金額や合計金額、氏名、住所を所定形式の香典台帳に表記して香典台帳１１８を作成する（香典台帳作成手段）。コンピュータ１１は、作成した香典台帳１１８を故人喪主識別子に関連付けた状態でハードディスクに格納する（香典台帳記憶手段）。
【００９７】
図４の指示画面において故人氏名および喪主氏名を入力した後、香典台帳表示項目をクリックして香典台帳表示４５を反転させ、実行ボタン４６を押すと、コンピュータ１１は、入力された故人氏名および喪主氏名の故人喪主識別子に対応する香典台帳１１８をハードディスクから抽出し、抽出した香典台帳１１８をディスプレイ１２に表示するとともに（香典台帳出力手段）、印刷指示の入力によってプリンタ１４から香典台帳１１８を出力する（香典台帳出力手段）。
【００９８】
作成および出力された香典台帳１１８には、図３２に示すように、故人氏名や喪主氏名が表示され、金額毎に区分された各香典表示エリアに会葬者の名前と住所が表示されるとともに、合計金額表示エリアに香典の合計金額が表示される。葬儀支援システム１０は、受付担当者等が香典金額合計を別途計算する必要はなく、香典台帳１１８に香典金額合計が表示されるから、受付担当者等の香典金額計算の手間を省くことができ、葬儀における受付業務の簡素化を図ることができる。この葬儀支援システム１０は、香典台帳１１８に香典を金額毎に区分した香典内訳が表示されるから、受付担当者等が香典をその金額毎に別途仕訳する必要はなく、受付担当者等の金額毎の香典仕分け作業の手間を省くことができる。
【符号の説明】
【００９９】
１０    葬儀支援システム
１１    管理コンピュータ
１２    ディスプレイ（出力装置）
１３    ディスプレイ（出力装置）
１４    プリンタ（出力装置）
１５    デジタルフォトフレーム
１６    会葬者名簿（電子ペン対応用紙）
１７    香典目録（電子ペン対応用紙）
１８    電子ペン（デジタルペン）
【図１】
2010194168.tif 000003
【図２】
2010194168.tif 000004
【図３】
2010194168.tif 000005
【図４】
2010194168.tif 000006
【図５】
2010194168.tif 000007
【図６】
2010194168.tif 000008
【図７】
2010194168.tif 000009
【図８】
2010194168.tif 000010
【図９】
2010194168.tif 000011
【図１０】
2010194168.tif 000012
【図１１】
2010194168.tif 000013
【図１２】
2010194168.tif 000014
【図１３】
2010194168.tif 000015
【図１４】
2010194168.tif 000016
【図１５】
2010194168.tif 000017
【図１６】
2010194168.tif 000018
【図１７】
2010194168.tif 000019
【図１８】
2010194168.tif 000020
【図１９】
2010194168.tif 000021
【図２０】
2010194168.tif 000022
【図２１】
2010194168.tif 000023
【図２２】
2010194168.tif 000024
【図２３】
2010194168.tif 000025
【図２４】
2010194168.tif 000026
【図２５】
2010194168.tif 000027
【図２６】
2010194168.tif 000028
【図２７】
2010194168.tif 000029
【図２８】
2010194168.tif 000030
【図２９】
2010194168.tif 000031
【図３０】
2010194168.tif 000032
【図３１】
2010194168.tif 000033
【図３２】
2010194168.tif 000034